(57)【要約】【課題】  ストレージ装置の誤動作を防止すると共に、誤動作防止のための制御をより柔軟に選択可能とすることを目的とする。【解決手段】  テレビジョン受像機１は、受信したコンテンツを記録再生するＨＤＤ２３を内蔵している。更に、スピーカ１４から出力する音量値を制御する音量制御部１８と、映像表示部１３にて警告画面を表示するＯＳＤ信号を生成するＯＳＤ信号生成部１９とを有する。リモートコントローラ４又は操作部２０から指定された音量値が音量制御部１８の記憶部１８ａに記憶された音量閾値よりも大きく、且つＨＤＤ２３が動作中であると判別された場合には、ＨＤＤ２３を制御する。若しくは音量制御部１８により音量値を制御する。【選択図】  図１
2010130527.tif 000002
【特許請求の範囲】
【請求項１】
コンテンツを受信するコンテンツ受信部と、
前記コンテンツ受信部にて受信したコンテンツを記録する記録装置と、
再生されるコンテンツの音声を出力する音声出力部と、
前記再生されるコンテンツの映像を出力する映像出力部と、
前記音声出力部にて出力される音声の音量値を指定する操作情報を受信する操作情報受信部と、
前記操作情報受信部にて受信した操作情報の指定する音量値が、既定の音量値よりも大きいか否かを判別する第１の判別部と、
前記記録装置が動作中であるか否かを判別する第２の判別部と、
前記第１の判別部及び前記第２の判別部により、前記音量値が前記所定の音量値よりも大きく且つ前記記録装置が動作中であると判別された場合、
前記記録装置の動作を制御する旨を表示する第１の警告画面を出力する警告画面出力部と、
前記動作中であると判別された前記記録装置の動作を制御する記録装置制御部と、
を有することを特徴とする電子機器。
【請求項２】
前記記録装置制御部は、前記警告画面出力部により前記第１の警告画面を出力した後に前記記録装置の動作を停止する
ことを特徴とする請求項１に記載の電子機器。
【請求項３】
前記第１の判別部及び前記第２の判別部により、前記音量値が前記所定の音量値よりも大きく且つ前記記録装置が動作中であると判別された場合、
前記警告画面出力部は、前記音声再生部にて出力する音声の音量値を制御する旨を表示する第２の警告画面を出力する
ことを特徴とする請求項１及び請求項２に記載の電子機器。
【請求項４】
前記警告画面出力部により、前記第２の警告画面を出力した場合、前記音量値を前記所定の音量値以下に制御する音量値制御部とを更に有することを特徴とする請求項３に記載の電子機器。
【請求項５】
前記第１の警告画面と前記第２の警告画面との何れかを、前記警告画面出力部より出力するかの設定を行う設定部を有し、
前記第１の警告画面を出力すると設定した場合は、前記記録装置制御部により前記記録装置を制御し、
前記第２の警告画面を出力すると設定した場合は、前記音量値制御部により前記音量値を制御する
ことを特徴とする請求項４に記載の電子機器。
【請求項６】
録画開始日時を指定して前記コンテンツの録画の予約を行う録画予約部と
前記第１の判別部により、前記音量値が前記所定の音量値よりも大きいと判別された場合、
前記録画予約部にて所定時間後に前記コンテンツの録画の予約がされているか否かを判別する第３の判別部と、
前記第３の判別部により、前記録画予約部にて前記記録装置が所定時間後に前記コンテンツの録画の予約がされていると判別した場合、
前記警告画面出力部は、予約されているコンテンツの録画を開始するため前記音量値を制御する旨を表示する第３の警告画面を出力する
ことを特徴とする請求項５に記載の電子機器。
【請求項７】
前記警告画面出力部により、前記第３の警告画面を出力した場合、前記音量値制御部により、前記音量値を前記所定の音量値以下に制御する
ことを特徴とする請求項６に記載の電子機器。
【請求項８】
コンテンツを受信するコンテンツ受信部と、
前記コンテンツ受信部にて受信したコンテンツを記録する記録装置と、
再生されるコンテンツの音声を出力する音声出力部と、
前記再生されるコンテンツの映像を出力する映像出力部と、
前記音声出力部より出力する音量値が既定の音量値よりも大きく且つ前記記録装置が動作中である場合、
前記動作中であると判別された前記記録装置の動作を制御する記録装置制御部と、
を有することを特徴とする電子機器。
【請求項９】
コンテンツを受信するコンテンツ受信部と、
前記コンテンツ受信部にて受信したコンテンツを記録する記録装置と、
再生されるコンテンツの音声を出力する音声出力部と、
前記再生されるコンテンツの映像を出力する映像出力部と、
前記音声出力部にて出力される音声の音量値を指定する操作情報を受信する操作情報受信部と、
前記操作情報受信部にて受信した操作情報の指定する音量値が、既定の音量値よりも大きいか否かを判別する第１の判別部と、
前記記録装置が動作中であるか否かを判別する第２の判別部と、
前記動作中であると判別された前記記録装置の動作を制御する記録装置制御部と、
前記音量値を前記所定の音量値以下に制御する音量値制御部と、
録画開始日時を指定して前記コンテンツの録画の予約を行う録画予約部と、
前記第１の判別部により、前記音量値が前記所定の音量値よりも大きいと判別された場合、前記録画予約部にて所定時間後に前記コンテンツの録画の予約がされているか否かを判別する第３の判別部と、
前記第１の判別部及び前記第２の判別部により、前記音量値が前記所定の音量値よりも大きく且つ前記記録装置が動作中であると判別された場合、前記記録装置の動作を制御する旨を表示する第１の警告画面と、前記音声再生部にて出力する音声の音量値を制御する旨を表示する第２の警告画面とを出力し、
前記第３の判別部により、前記録画予約部にて前記記録装置が所定時間後に前記コンテンツの録画の予約がされていると判別した場合、予約されているコンテンツの録画を開始するため前記音量値を制御する旨を表示する第３の警告画面を出力する警告画面出力部と、
を有することを特徴とする電子機器。
【発明の詳細な説明】
【技術分野】
【０００１】
本発明は、映像を受信し録画再生を行う電子機器に関する。
【背景技術】
【０００２】
これまでバッテリ駆動可能な携帯型パーソナルコンピュータが開発されてきた。パーソナルコンピュータの多くは、スピーカを内蔵し、ストレージ装置にて記憶した音声データを出力することができる。このストレージ装置としてハードディスクドライブ（以後ＨＤＤと表記する）等が広く用いられている。このＨＤＤに記録された音楽データを再生する場合、内蔵されたスピーカが振動することで筐体が共振する可能性がある。筐体が共振した場合、ＨＤＤにも振動がもたらされることでヘッドとディスクとの距離が一時的に乱れ、ディスクへの書き込み及び読み込みにおけるＨＤＤの誤動作が起こる。
【０００３】
このスピーカの振動に起因するストレージ装置の誤動作を防止するため、筐体内に振動センサを設けた情報処理装置が公開されている。即ち、振動センサにて筐体の振動を感知し、ストレージ装置の動作に支障をきたすレベルの振動を感知した場合、スピーカからの出力音量を低減するものである（例えば特許文献１参照）。
【特許文献１】特開２００７−１５１０１７号公報
【発明の開示】
【発明が解決しようとする課題】
【０００４】
ところで、受信した映像コンテンツの録画・再生を行うためのストレージ装置を内蔵したテレビジョン受像機が開発されている。このようなテレビジョン受像機は、ストレージ装置を搭載したレコーダをテレビジョン受像機に接続して映像コンテンツの録画再生を行う場合に比べて、操作性に優れ、配線の煩わしさがないという利点がある。このストレージ装置を内蔵したテレビジョン受像機においても、上述のパーソナルコンピュータと同様の課題が生じる。即ち、テレビジョン受像装置に内蔵されたスピーカの振動により、内蔵されたＨＤＤ等のストレージ装置に振動がもたらされる。従って、受信したコンテンツを録画及び再生するストレージ装置の動作に支障が発生する虞がある。
【０００５】
開示されている上述の技術をテレビジョン受像機に適応した場合、自動的に音量制御されることは時にユーザにとって不都合となる虞がある。例えば、大人数でテレビジョン受像機にて番組を視聴している場合には、現在視聴している再生音量を変更したくないという要求が有り得る。また何ら告知なしに出力音量が低減されることも、ユーザにとって不都合となり得る。
【０００６】
本発明は上記問題点を解決するためになされたものであり、ストレージ装置の誤動作を防止すると共に、誤動作防止のための制御をより柔軟に選択することができる。
【課題を解決するための手段】
【０００７】
上記目的を達成するために、本発明に係る電子機器は、コンテンツを受信するコンテンツ受信部と、前記コンテンツ受信部にて受信したコンテンツを記録する記録装置と、再生されるコンテンツの音声を出力する音声出力部と、前記再生されるコンテンツの映像を出力する映像出力部と、前記音声出力部にて出力される音声の音量値を指定する操作情報を受信する操作情報受信部と、前記操作情報受信部にて受信した操作情報の指定する音量値が、所定の音量値よりも大きいか否かを判別する第１の判別部と、前記記録装置が動作中であるか否かを判別する第２の判別部と、前記第１の判別部及び前記第２の判別部により、前記音量値が前記所定の音量値よりも大きく且つ前記記録装置が動作中であると判別された場合、前記記録装置の動作を制御する旨を表示する第１の警告画面を出力する警告画面出力部と、前記動作中であると判別された前記記録装置の動作を制御する記録装置制御部とを有することを特徴としている。
【発明の効果】
【０００８】
本発明によれば、ストレージ装置の誤動作を防止すると共に、誤動作防止のための制御をより柔軟に選択することができる。
【発明を実施するための最良の形態】
【０００９】
以下、本発明の実施の形態について図１〜図１０を用いて説明する。本発明に係る電子機器として、本実施の形態においてはテレビジョン放送受信機１を例に説明する。
【００１０】
図１は本発明の実施の形態におけるテレビジョン受像機の信号処理系を説明するために示すブロック構成図である。本実施の形態におけるテレビジョン受像機１は、入力端子５と、アナログチューナ部６と、Ａ／Ｄ（Ａｎａｌｏｇ／Ｄｉｇｉｔａｌ）変換部７と、入力端子８と、デジタルチューナ部９と、デコーダ部１０と、セレクタ部１１と、信号処理部１２と、映像表示部１３と、スピーカ１４と、録画予約部１５と、ＣＰＵ（Ｃｅｎｔｒａｌ  Ｐｒｏｃｅｓｓｉｎｇ  Ｕｎｉｔ）１６と、メモリ部１７と、音量制御部１８と、ＯＳＤ（Ｏｎ  Ｓｃｒｅｅｎ  Ｄｉｓｐｌａｙ）信号生成部１９と、操作部２０と、受信部２１と、ＨＤＤＩ／Ｆ（Ｈａｒｄ  Ｄｉｓｋ  Ｄｒｉｖｅ  Ｉｎｔｅｒｆａｃｅ）２２と、ＨＤＤ（Ｈａｒｄ  Ｄｉｓｋ  Ｄｒｉｖｅ）２３とを備えている。
【００１１】
入力端子５はアナログテレビジョン放送受信用アンテナ２で受信したアナログテレビジョン放送信号をアナログチューナ部６に伝送するために設けられている。
【００１２】
アナログチューナ部６は、入力端子５を介して受信したアナログテレビジョン放送信号から所望のチャンネルの信号を選局し、選局された信号をＡ／Ｄ変換部７に出力する。
【００１３】
Ａ／Ｄ変換部７は、供給されたアナログテレビジョン放送信号をデジタル化し、セレクタ部１１へ出力する。
【００１４】
入力端子８は、デジタルテレビジョン放送受信用アンテナ３で受信したデジタルテレビジョン放送信号をデジタルチューナ部９へ伝送するために設けられている。
【００１５】
デジタルチューナ部９は、入力端子８を介して受信したデジタルテレビジョン放送信号から所望のチャンネルの信号を選局し、選局された信号をデコーダ部１０に出力する。
【００１６】
デコーダ部１０は、供給されたデジタルテレビジョン放送信号に、例えばＭＰＥＧ（Ｍｏｖｉｎｇ  Ｐｉｃｔｕｒｅ  Ｅｘｐｅｒｔｓ  Ｇｒｏｕｐ）２デコード処理を施し、セレクタ部１１へ出力する。
【００１７】
セレクタ部１１は、Ａ／Ｄ変換部７及びデコーダ部１０から入力されるデジタル化されたテレビジョン放送信号から１つを選択し、信号処理部１２へ出力する。
【００１８】
信号処理部１２は、セレクタ部１１で選択されたデジタルテレビジョン放送信号、音量制御部１８から入力される音声信号、ＯＳＤ信号生成部１９から入力されるＯＳＤ信号等に所定の信号処理を施し、映像表示部１３及びスピーカ１４へ出力する。
【００１９】
映像表示部１３は、入力されたデジタル映像信号に基づいて、映像表示を行う。映像表示部１３は例えば、液晶パネル等を備えた平面パネル型ディスプレイから構成される。
【００２０】
スピーカ１４は、信号処理部１２より入力されたデジタル音声信号に基づいて、音声を出力する。
【００２１】
録画予約部１５は、ＨＤＤ２３に記録するコンテンツの予約情報を記憶及び管理する。
【００２２】
ＣＰＵ１６は、操作部２０及び受信部２１から受信した操作情報の示す操作内容が各部に反映されるように制御を行う。本実施の形態においては、音量制御部１８の判別結果に従い、ＨＤＤＩ／Ｆ２２へＨＤＤ２３を制御するための操作情報を出力したりする。
【００２３】
メモリ部１７は、ＣＰＵ１６が実行する制御プログラムを格納したＲＯＭ（Ｒｅａｄ  Ｏｎｌｙ  Ｍｅｍｏｒｙ）と、ＣＰＵ１６に作業エリアを提供するためのＲＡＭ（Ｒａｍｄｏｍ  Ａｃｃｅｓｓ  Ｍｅｍｏｒｙ）と、各種の設定情報及び制御情報等が格納される不揮発性メモリとを有している。
【００２４】
音量制御部１８は、設定音量値が音量閾値を超えるか否かを判別し、判別結果に基づいて音声制御信号を信号処理部１２に出力する。この音量に関する判別に用いる音量閾値は、音量制御部１８の記憶部１８ａにて記憶される。この音量閾値は、ＨＤＤ２３の動作に支障をきたす虞のある音量値とする。音量制御部１８から出力される音声制御信号が信号処理部１２において処理が施され、スピーカ１４から出力される音声の音量値が制御される。
【００２５】
ＯＳＤ信号生成部１９は、音量制御部１８による判別結果に基づき対応する警告画面を表示するＯＳＤ信号を生成し、信号処理部１２へ出力する。ＯＳＤ信号生成部１９から入力されるＯＳＤ信号が信号処理部１２において処理が施され、映像表示部１３にて警告画面が表示される。
【００２６】
操作部２０は、テレビジョン受像機１に対する操作情報を受付け、ＣＰＵ１６に操作情報を出力する。例えば主電源スイッチや音量値を選択するスイッチ等がある。
【００２７】
受信部２１は、リモートコントローラ４から無線送信された操作情報を受信し、ＣＰＵ１６に出力する。
【００２８】
ＨＤＤＩ／Ｆ２２は、ＣＰＵ１６とＨＤＤ２３との各種制御情報の送受信の仲介を行う。
【００２９】
ＨＤＤ２３は、受信した各種テレビジョン放送を記憶するストレージ装置である。
【００３０】
本実施の形態においてはテレビジョン受像機１の構成を上述のようにしたが、もちろんこれに限られることはない。例えば、各種テレビジョン放送と同様に、インターネット上から動画コンテンツを受信し、録画再生が行えるとしても良い。
【００３１】
また本実施の形態においてはストレージ装置としてＨＤＤ２３を例に説明をしたが、これに限られずＯＤＤ（Ｏｐｔｉｃａｌ  Ｄｉｓｋ  Ｄｒｉｖｅ）等でも良い。
【００３２】
本実施の形態におけるＨＤＤ２３の制御の概略を説明する。まず、リモートコントローラ４又は操作部２０をユーザが操作し、音量値の変更を示す操作情報がＣＰＵ１６に入力される。次に、その操作情報により指定される音量値が閾値よりも大きく、且つＨＤＤ２３が動作中である場合は、映像表示部１３にて警告画面を表示させ、ＨＤＤ２３の動作を制御する。
【００３３】
次に、本実施の形態におけるＨＤＤ２３の制御手順を図２を用いて説明する。図２は第１の実施の形態におけるＨＤＤ２３の制御の手順を示すフローチャートである。
【００３４】
まず、音量制御部１８は、入力された操作情報が音量値の変更を示す操作情報であるか否かを判別する（ステップＳ１１）。その結果、音量値の変更を示す操作情報ではないと判別した場合（ステップＳ１１のＮｏ）、音量値の変更を示す操作情報であると判別するまで以後の処理は行わない。一方、音量値の変更を示す操作情報であると判別した場合（ステップＳ１１のＹｅｓ）、次に、その操作情報により指定された音量値が、閾値よりも大きいか否かを判別する（ステップＳ１２）。閾値とはＨＤＤ２３の動作に支障をきたす音量値であり、音量制御部１８の記憶部１８ａに記憶されている。
【００３５】
その結果、閾値以下であると判別した場合（ステップＳ１２のＮｏ）、その操作情報の指定する音量値に音量値を変更する（ステップＳ１３）。即ち、ＨＤＤ２３の動作に支障をきたす音量値以下の音量値に変更する場合は、ＨＤＤ２３に支障は発生しないので操作情報に従って音量値を変更する。一方、閾値より大きいと判別した場合（ステップＳ１２のＹｅｓ）、次にＣＰＵ１６が、ＨＤＤ２３が動作中であるか否かを判別する（ステップＳ１４）。
【００３６】
その結果、ＨＤＤ２３が動作中ではないと判別した場合（ステップＳ１４のＮｏ）、その操作情報の指定する音量値に音量値を変更する（ステップＳ１５）。即ち、ＨＤＤ２３が動作していない場合には、音量値をＨＤＤ２３の動作に支障をきたす音量値に変更しても特に問題は発生しない。一方、ＨＤＤ２３が動作中であると判別した場合（ステップＳ１４のＹｅｓ）、次にＯＳＤ信号生成部１９が、ＨＤＤ２３を制御する旨を示す警告画面を表示するＯＳＤ信号を生成し、信号処理部１２に出力する（ステップＳ１６）。信号処理部１２にてＯＳＤ信号が他の映像信号等と共に所定の信号処理が施され、映像表示部１３により映像表示される。ＨＤＤ２３を制御する旨を示す警告画面については、後に例示する。
【００３７】
次にＣＰＵ１６が、ＨＤＤ２３の制御に関する操作情報をＨＤＤＩ／Ｆ２２に出力し、その操作情報を受信したＨＤＤ２３は制御される（ステップＳ１７）。ＨＤＤ２３の制御とは例えば、ＨＤＤ２３の録画動作や再生動作を停止することであり、以下は停止する場合について説明する。
【００３８】
尚、本実施の形態においては操作情報により指定された音量値が、閾値よりも大きいか否かを判別（ステップＳ１２）した後に、ＨＤＤ２３が動作中であるか否かを判別する（ステップＳ１４）順としたが、必ずしもこれに限られない。即ちＨＤＤ２３が動作中であるか否かの判別を行った後に、操作情報により指定された音量値が閾値よりも大きいか否かを判別するとしても良い。
【００３９】
また、本実施の形態においては警告画面を表示するＯＳＤ信号を生成及び信号処理部１２に出力（ステップＳ１６）した後に、ＨＤＤ２３の制御を行う（ステップＳ１７）の順としたが、必ずしもこれに限られない。即ちＨＤＤ２３の制御を行った後に、警告画面を表示するＯＳＤ信号を生成するとしても良い。
【００４０】
図３は第１の実施の形態における録画動作中の警告画面の例である。まずテレビジョン受像機１の構造について説明する。図３はテレビジョン受像機１を正面側から見た状態を示しており、主として薄型のキャビネット３１と、これを支持する支持台３２とから構成されている。キャビネット３１の正面中央部に映像表示部１３が配置され、両側面にはスピーカ１４が配置されステレオ音声再生が行えるようになっている。正面下部には、リモートコントローラ４から無線送信された操作情報を受信するための受信部２１と、電源スイッチ等の操作部２０が配置されている。また本実施の形態に係るテレビジョン受像機１は、キャビネット３１内にＨＤＤ２３が内蔵されている。
【００４１】
ＨＤＤ２３の録画動作中に閾値より大きい音量値の指定が行われた場合は、映像表示部１３に図３に図示するような警告画面を表示し、録画動作を停止する。
【００４２】
図４は第１の実施の形態における再生動作中の警告画面の例である。ＨＤＤ２３の再生動作中に閾値より大きい音量値の指定が行われた場合は、図４に例示するような警告画面を表示し、再生動作を停止する。
【００４３】
第１の実施の形態によれば、ＨＤＤ２３の動作に支障をきたす音量以上の音量値が設定された場合に、ＨＤＤ２３が動作中であればＨＤＤ２３の動作を制御する。即ち録画及び再生動作中のＨＤＤ２３に、大音量を出力するスピーカから過度の振動がもたらされることを抑制できる。従って、ＨＤＤ２３等のストレージ装置においてコンテンツの録画再生の失敗を防止することができる。
【００４４】
次に本発明の第２の実施の形態について、図５を用いて説明する。図５は第２の実施の形態における音量値制御の仕組みを示したグラフである。グラフの横軸は設定音量値を、縦軸は出力音圧を示している。ここで設定音量値とは、出力可能な出力音量を１００段階に分けて設定したものであり、単位は通常Ｖｏｌで表示される。この設定音量値は、操作部２０やリモートコントローラ４から指定される。また出力音圧とは、音声信号をスピーカ１４に入力した場合に、スピーカ１４から出力する音声の大きさを示し、単位は通常ｄＢである。ＨＤＤ２３の動作に支障が発生する音量値を音量閾値として設定し、音量制御部１８の記憶部１８ａにて記憶されている。実線のグラフは、ＨＤＤ２３が非動作中の設定音量値と出力音圧の関係を示し、設定音量値と出力音圧は比例関係にある。即ち設定音量値を閾値以上と設定した場合にも、出力音圧は設定音量値に伴い大きくなる。一方、点線で示したグラフはＨＤＤ２３が動作中の設定音量値と出力音圧の関係を示している。設定音量値を閾値以上と設定した場合は、出力音圧が一定に保たれている。即ち、ＨＤＤ２３が動作中である場合は、ＨＤＤ２３に支障をきたす音量を出力しないことを示している。
【００４５】
次に、図６を用いて音量値の制御の処理手順を説明する。図６は第２の実施の形態における音量値制御の手順を示すフローチャートである。図２のフローチャートと同様のステップについては、同じ符号で示し説明は省略する。
【００４６】
ステップＳ１４にてＨＤＤ２３が動作中であると判別した場合（ステップＳ１４のＹｅｓ）、次に、ＯＳＤ信号生成部１９により音量値の制御を行う旨を示す警告画面を表示するＯＳＤ信号を生成し、信号処理部１２に出力する（ステップＳ２６）。信号処理部１２にてＯＳＤ信号と映像信号とに所定の信号処理が施され、映像表示部１３により映像表示される。音量値を制御する旨を示す警告画面については、後に例示する。
【００４７】
次に、音量制御部１８から音量値制御の操作情報を信号処理部１２に出力し、スピーカ１４から出力する音量の制御を行う（ステップＳ２７）。即ち閾値以上の設定音量値を指定した場合には、スピーカ１４から出力する音量値は閾値に保たれる。
【００４８】
尚、本実施の形態においては警告画面を表示するＯＳＤ信号を生成及び信号処理部１２に出力（ステップＳ２６）した後に、スピーカ１４から出力する音量の制御を行う（ステップＳ２７）の順としたが、必ずしもこれに限られない。即ちスピーカ１４から出力する音量の制御を行った後に、警告画面を表示するＯＳＤ信号を生成するとしても良い。
【００４９】
図７は第２の実施の形態における録画動作中の警告画面の例である。録画動作中に閾値より大きい音量値の指定を行った場合は、図７に例示するような警告画面を表示し、録画動作中の再生音量値を制御する。
【００５０】
図８は第２の実施の形態における再生動作中の警告画面の例である。再生動作中に閾値より大きい音量値の指定を行った場合は、図８に例示するような警告画面を表示し、再生動作中の再生音量値を制御する。
【００５１】
第２の実施の形態によれば、ＨＤＤ２３の動作に支障をきたす音量以上の音量値を設定した場合に、ＨＤＤ２３が動作中であれば音量値を制御する。即ち、録画及び再生動作中のＨＤＤ２３に、大音量を出力するスピーカから過度の振動がもたらされることを抑制するように、音量値を制御しＨＤＤ２３の録画及び再生動作を続行できる。
【００５２】
尚、第１の実施の形態と第２の実施の形態との何れかをとるかをユーザにより選択可能としても良い。即ち、ＨＤＤ２３が動作中に閾値以上の音量値が指定された場合（ステップＳ１４のＹｅｓ）に、ＨＤＤ２３の動作を停止する（ステップＳ１７）か、音量値を制御し（ステップＳ２７）、スピーカ１４の振動を抑制するかを選択可能とする。即ち、現在視聴している番組とは他の番組を録画する場合、現在視聴している番組の再生を優先する場合にはＨＤＤ２３を制御する。一方、他の番組の録画を優先する場合には、現在視聴している番組の音量を制御する。
【００５３】
次に本発明の第３の実施の形態について、図９を用いて説明する。図９は第３の実施の形態における録画予約がある場合の音量値制御の手順を示すフローチャートである。図２のフローチャートと同様のステップについては、同じ符号で示し説明は省略する。
【００５４】
操作情報により指定された音量値が閾値より大きいと判別した場合（ステップＳ１２のＹｅｓ）、次に、録画予約部２４に所定時間後に録画予約がされているか否かを判別する（ステップＳ３４）。この所定時間はメモリ部１７に記憶される。
【００５５】
その結果、所定時間後に録画予約がされていないと判別された場合（ステップＳ３４のＮｏ）、その操作情報の指定する音量値に音量値を変更する（ステップＳ３５）。即ち、所定時間後に録画予約に伴ってＨＤＤ２３が動作する予定がない場合には、ＨＤＤ２３の動作に支障をきたす音量値で再生等を行っていても問題はない。一方、所定時間後に録画予約がされていると判別された場合（ステップＳ３４のＹｅｓ）、次に、ＯＳＤ信号生成部１９により予約された録画を開始するために音量値の制御を行う旨を示す警告画面を表示するＯＳＤ信号を生成し、信号処理部１２に出力する（ステップＳ３６）。信号処理部１２にてＯＳＤ信号と映像信号とに所定の信号処理が施され、映像表示部１３により映像表示される。予約された録画を開始するために音量値を制御する旨を示す警告画面については、後に例示する。
【００５６】
次に、音量制御部１８から音量値の制御の操作情報を信号処理部１２に出力し、スピーカ１４から出力する音量の制御を行う（ステップＳ３７）。即ち、閾値以上の設定音量値を指定した場合には、スピーカ１４から出力する音量は閾値に保たれる。
【００５７】
尚、本実施の形態においては警告画面を表示するＯＳＤ信号を生成及び信号処理部１２に出力（ステップＳ３６）した後に、スピーカ１４から出力する音量の制御を行う（ステップＳ３７）の順としたが、必ずしもこれに限られない。即ちスピーカ１４から出力する音量の制御を行った後に、警告画面を表示するＯＳＤ信号を生成するとしても良い。
【００５８】
図１０は、第３の実施の形態における録画予約がある場合の警告画面の例である。所定時間後に録画予約がある場合に閾値より大きい音量値の指定を行った場合は、図１０に例示するような警告画面を表示し、再生音量を制御する。
【００５９】
第３の実施の形態によれば、ＨＤＤ２３の動作に支障をきたす音量以上の音量値を設定し、且つ所定時間後に録画予約がされている場合、音量値を制御する。即ち、録画予約部２４にて予約されている録画動作が開始される前に、スピーカ１４から出力される音量をＨＤＤ２３の動作に支障がない音量値に変更する。従って、大音量を出力するスピーカからの過度の振動がＨＤＤ２３にもたらされることを抑制し、予約された録画動作が正常に行われる。例えば、予約していた番組の録画が開始される際に大音量で他の番組を視聴していた場合、音量値を制御することで録画動作に支障が出ることを防止することができる。
【００６０】
本実施の形態においては録画予約がある場合、音量値を制御することとしたが必ずしもこれに限られない。即ち第１の実施の形態と同様にして、ＨＤＤ２３を制御するとしても良い。また、音量値とＨＤＤ２３との何れかを制御するかをユーザにより選択可能としても良い。
【００６１】
以上のように、本発明の実施の形態によれば、ストレージ装置の誤動作を防止すると共に、誤動作防止のための制御をより柔軟に選択することができる。
【００６２】
尚、本発明は上記実施の形態そのままに限定されるものではなく、実施段階ではその要旨を逸脱しない範囲で、種々の変形が可能である。
【図面の簡単な説明】
【００６３】
【図１】本発明の実施の形態におけるテレビジョン受像機の信号処理系を説明するために示すブロック構成図。
【図２】第１の実施の形態におけるＨＤＤの制御の手順を示すフローチャート。
【図３】第１の実施の形態における録画動作中の警告画面の例。
【図４】第１の実施の形態における再生動作中の警告画面の例。
【図５】第２の実施の形態における音量値制御の仕組みを示したグラフ。
【図６】第２の実施の形態における音量値制御の手順を示すフローチャート。
【図７】第２の実施の形態における録画動作中の警告画面の例。
【図８】第２の実施の形態における再生動作中の警告画面の例。
【図９】第３の実施の形態における録画予約がある場合の音量値制御の手順を示すフローチャート。
【図１０】第３の実施の形態における録画予約がある場合の警告画面の例。
【符号の説明】
【００６４】
１  テレビジョン受像機
２  アナログテレビジョン放送受信用アンテナ
３  デジタルテレビジョン放送受信用アンテナ
４  リモートコントローラ
５  入力端子
６  アナログチューナ部
７  Ａ／Ｄ変換部
８  入力端子
９  デジタルチューナ部
１０  デコーダ部
１１  セレクタ部
１２  信号処理部
１３  映像表示部
１４  スピーカ
１５  録画予約部
１６  ＣＰＵ
１７  メモリ部 
１８  音量制御部
１８ａ  記憶部
１９  ＯＳＤ信号生成部
２０  操作部
２１  受信部
２２  ＨＤＤ  Ｉ／Ｆ
２３  ＨＤＤ
３１  キャビネット
３２  支持台
【図１】
2010130527.tif 000003
【図２】
2010130527.tif 000004
【図３】
2010130527.tif 000005
【図４】
2010130527.tif 000006
【図５】
2010130527.tif 000007
【図６】
2010130527.tif 000008
【図７】
2010130527.tif 000009
【図８】
2010130527.tif 000010
【図９】
2010130527.tif 000011
【図１０】
2010130527.tif 000012